(57)【特許請求の範囲】
【請求項１】
面材の周端部を収容する面材収容部および前記面材収容部と隣接する隣接空間を有する複数の枠材の端部同士が互いに突き合わされて接合されている接合部の、前記隣接空間に充填されたシーリング材の流動を規制する弾性変形可能なバックアップ材であって、
前記隣接空間内に配置される本体部と、
前記面材収容部と前記隣接空間とを連通し前記面材の面内方向における幅が前記隣接空間より狭い連通開口により保持される保持部と、
を有することを特徴とするバックアップ材。
【請求項２】
請求項１に記載のバックアップ材であって、
前記連通開口にて前記枠材の長手方向に沿う軸周りに回転可能であることを特徴とするバックアップ材。
【請求項３】
請求項２に記載のバックアップ材であって、
前記本体部は、回転時の外周側に位置する部位が傾斜または湾曲していることを特徴とするバックアップ材。
【請求項４】
請求項１乃至請求項３のいずれかに記載のバックアップ材であって、
前記本体部は、前記面材収容部と前記隣接空間とが連通する方向と交差する方向に沿うスリットを有していることを特徴とするバックアップ材。
【請求項５】
請求項２乃至請求項４のいずれかに記載のバックアップ材であって、
前記枠材の前記隣接空間を形成する内壁に、前記本体部が当接されていることを特徴とするバックアップ材。
【請求項６】
請求項１乃至請求項５のいずれかに記載のバックアップ材を備えたことを特徴とする建具。
【発明の詳細な説明】
【技術分野】
【０００１】
本発明は、複数の枠材の接合部に充填されるシーリング材の流動を規制するバックアップ材及び建具に関する。
【背景技術】
【０００２】
複数の枠材の接合部に充填されるシーリング材の流動を規制するバックアップ材としては、例えば、長手方向に沿って連通する中空部を有する枠材の、一方の端部同士が接合された接合部近傍の中空部内に設けられるバックアップ材が知られている。このようなバックアップ材は、枠材の接合されていない他方の端部側の小口から挿入され、接合部近傍まで移動させて配置される。
【発明の概要】
【発明が解決しようとする課題】
【０００３】
上記のようなバックアップ材は、枠材の接合されていない側の小口から挿入され、接合部の近傍まで移動させて配置されるので、バックアップ材を適切な位置に配置し難いとともに、例えば凹設された嵌合部に嵌合するような部材よりも取り付けに時間がかかるという課題がある。
【０００４】
本発明は、かかる課題に鑑みてなされたものであり、その目的とするところは、短時間で容易に配置することが可能なバックアップ材、及び、このバックアップ材を備えた建具を提供することにある。
【課題を解決するための手段】
【０００５】
かかる目的を達成するために本発明のバックアップ材は、面材の周端部を収容する面材収容部および前記面材収容部と隣接する隣接空間を有する複数の枠材の端部同士が互いに突き合わされて接合されている接合部の、前記隣接空間に充填されたシーリング材の流動を規制する弾性変形可能なバックアップ材であって、前記隣接空間内に配置される本体部と、前記面材収容部と前記隣接空間とを連通し前記面材の面内方向における幅が前記隣接空間より狭い連通開口により保持される保持部と、を有することを特徴とするバックアップ材である。
【０００６】
このようなバックアップ材によれば、面材収容部と隣接空間とを連通し面材の面内方向における幅が隣接空間より狭い連通開口から、弾性変形可能なバックアップ材を圧縮させつつ挿入し、本体部を隣接空間にて復元させて配置することが可能である。また、弾性変形可能なバックアップ材を連通開口から圧縮させつつ挿入するだけで、隣接空間に本体部を配置した状態でバックアップ材を容易に取り付けることが可能である。このため、短時間で容易に配置することが可能なバックアップ材を提供することが可能である。
【０００７】
かかるバックアップ材であって、前記連通開口にて前記枠材の長手方向に沿う軸周りに回転可能であることが望ましい。
このようなバックアップ材によれば、本体部を連通開口から挿入させてバックアップ材を枠材の長手方向に沿う軸周りに回転させるだけで隣接空間に本体部を移動させ、保持部を連通開口に移動させることが可能である。
【０００８】
かかるバックアップ材であって、前記本体部は、回転時の外周側に位置する部位が傾斜または湾曲していることが望ましい。
このようなバックアップ材によれば、本体部の外周側が傾斜または湾曲しているので、容易に回転させることが可能である。
【０００９】
かかるバックアップ材であって、前記本体部は、前記面材収容部と前記隣接空間とが連通する方向と交差する方向に沿うスリットを有していることが望ましい。
このようなバックアップ材によれば、本体部には面材収容部と隣接空間とが連通する方向と交差する方向にスリットが設けられているので、本体部を、連通開口に挿入する際に単に圧縮する場合より大きく変形させることが可能である。このため、本体部を圧縮すると共により薄く変形させ、圧縮から解放されて隣接空間内にてより大きく復元させて、枠材の長手方向に貫通する空間を狭めることが可能である。
【００１０】
かかるバックアップ材であって、前記枠材の前記隣接空間を形成する内壁に、前記本体部が当接されていることが望ましい。
このようなバックアップ材によれば、バックアップ材の本体部が隣接空間の内壁に当接されているので、例えば、バックアップ材の装着作業者は、本体部が隣接空間の内壁に当接されることにより、バックアップ材が適切に配置されたことを認識することが可能である。
【００１１】
また、前記バックアップ材を備えたことを特徴とする建具である。
このような建具によれば、短時間で容易に配置されたバックアップ材により枠材の接合部にシーリング材を確実に充填することが可能である。このため、製造性と止水性に優れた建具を提供することが可能である。
【発明の効果】
【００１２】
本発明によれば、短時間で容易に配置することが可能なバックアップ材、及び、このバックアップ材を備えた建具を提供することが可能である。
【図面の簡単な説明】
【００１３】
【図１】本実施形態に係るバックアップ材が用いられているＦＩＸ窓の横断面図である。
【図２】バックアップ材が装着されている下枠部材の周辺の縦断面図である。
【図３】バックアップ材を示す斜視図である。
【図４】バックアップ材の装着方法を示す図である。
【図５】変形例のバックアップ材が装着されている下枠部材の周辺の縦断面図である。
【図６】変形例のバックアップ材の装着方法を示す図である。
【発明を実施するための形態】
【００１４】
以下、本発明の一実施形態に係るバックアップ材、及び、このバックアップ材を備えた建具について図面を参照して説明する。
【００１５】
本実施形態のバックアップ材１は、例えば図１に示すように、２枚の複層ガラス２の四周端部が枠材により保持されて建物のコーナー部を形成する建具としてのＦＩＸ窓３の、枠材により形成された枠体３ａの下枠３０に設けられている。
【００１６】
コーナー部を形成するＦＩＸ窓３の下枠３０は、２本の枠材としての下枠部材３１の端部が、長手方向に対して４５度をなすように斜めに切断され、互いの端部同士を突き合わされて溶着されて形成されている。
【００１７】
下枠部材３１は、各々同一の押し出し成形部材であり、複雑な形状をなす各々の小口は、突き合わされる全ての部位が溶着されているわけではなく、２本の下枠部材３１の接合部３０ａは溶着された部位と溶着されていない部位とが存在する。このため、溶着されていない部位からの水の浸入を防止するために、接合部３０ａにはシーリング材３２を充填する必要がある。
【００１８】
下枠部材３１は、下枠部材３１の長手方向に連通している部材であるため、下枠部材３１の接合部３０ａ側の端部に充填されるシーリング材３２の流動を規制するために、図１に示すように、下枠部材３１の接合部３０ａ側の端部近傍にバックアップ材１が取り付けられている。
【００１９】
まず、バックアップ材１が取り付けられる下枠部材３１について説明する。
下枠部材３１は、図２に示すように、屋外に臨み複層ガラス２の下端部と対向する壁部をなす外ガラス対向部３１ａと、屋内に臨む壁部をなす内壁部３１ｂと、外ガラス対向部３１ａと内壁部３１ｂとを繋ぎ複層ガラス２の下端部が収容される面材収容部としてのガラス収容部３１ｃの底をなす底部３１ｄと、内壁部３１ｂの上端側から屋外側に延出されて底部３１ｄの上方に間隔を空けて設けられた天面部３１ｅと、を有している。
【００２０】
天面部３１ｅは、下枠部材３１の幅方向(以下、単に幅方向という)におけるほぼ中央まで延出されている。このため、下枠部材３１は、屋外側に上部が開放されて複層ガラス２の下端部が収容されるガラス収容部３１ｃが形成されており、屋内側には、ガラス収容部３１ｃと隣接し、上部が塞がれてガラス収容部３１ｃと幅方向に連通する隣接空間３１ｆが形成されている。
【００２１】
ガラス収容部３１ｃの、開放されている上端部には、複層ガラス２と下枠部材３１との間をシールするシール材３１ｇを介して複層ガラス２を保持するガラス挟持部３１ｈが互いに対向させて設けられている。このガラス挟持部３１ｈは、外ガラス対向部３１ａの上端部には屋内側に突出させて設けられており、天面部３１ｅには、屋外側の縁部から下方に垂設させて設けられている。このため、屋内側のガラス挟持部３１ｈと底部３１ｄとの間が、ガラス収容部３１ｃと隣接空間３１ｆとを連通する連通開口３１ｉをなし、連通開口３１ｉの上下方向(複層ガラス２の面内方向)の幅ｗ１は、隣接空間３１ｆの内部における底部３１ｄと天面部３１ｅとの間隔ｗ２より狭く形成されている。
【００２２】
また、隣接空間３１ｆの底部３１ｄは、連通開口３１ｉより奥側にガラス収容部３１ｃから離れる方向に向かって高くなる底傾斜部３１ｊと、底傾斜部３１ｊより奥側にほぼ水平な段部３１ｋと、を有している。
【００２３】
バックアップ材１は、ポリウレタン等の合成樹脂を発泡成形して作られる発泡プラスチックにより弾性変形可能に形成され、図２、図３に示すように、連通開口３１ｉに挟持される保持部１１と、保持部１１と繋がって隣接空間３１ｆ内に挿入される本体部１２と、を有している。
【００２４】
以下のバックアップ材１の説明においては、バックアップ材１が下枠部材３１に装着された状態で、上下となる方向を上下方向、下枠部材３１の長手方向に沿う方向を長手方向、下枠部材３１の幅方向となる方向を幅方向として示す。
【００２５】
保持部１１は、連通開口３１ｉの上下方向の幅ｗ１より僅かに厚い厚みｔ１に形成されており、本体部１２は、保持部１１から隣接空間３１ｆの奥側に延出されている延出部１２１と、延出部から上方に突出する上突部１２２と、を有している。延出部１２１は、保持部１１と同じ厚みｔ１にて屋内側に延出され、延出方向の先端側は下面が屋内側に向かって高くなるような傾斜をなす下傾斜面１２１ａが設けられている。
【００２６】
上突部１２２は、幅方向における厚みｔ２が連通開口３１ｉの上下方向の幅ｗ１より厚く形成されており、ガラス収容部３１ｃと隣接空間３１ｆとが連通する方向と交差する、下枠部材３１の長手方向に沿うスリット１２２ａが、幅方向におけるほぼ中央に設けられている。このため、上突部１２２は、屋内側の部位(以下、屋内側上突部という)１２２ｂと屋外側の部位（以下、屋外側上突部という）１２２ｃとに分かれている。
【００２７】
屋内側上突部１２２ｂは、装着されたときに隣接空間３１ｆの奥側、すなわち屋内側に位置する部位の上端部に屋内側に向かって低くなるような傾斜をなす上傾斜面１２２ｄが設けられている。
【００２８】
バックアップ材１は、下枠部材３１に装着された状態では、屋外側上突部１２２ｃの屋外側の面が屋内側のガラス挟持部３１ｈと対向し、保持部１１が連通開口３１ｉにて圧縮された状態で保持されており、本体部１２１の下傾斜面１２１ａが底傾斜部３１ｊに当接されている。このとき、バックアップ材１の屋内側の端部は、段部３１ｋの上方にて屋内側に僅かに突出し、バックアップ材１の室内側面１ａが内壁部３１ｂと間隔を空けて対向しており、上突部１２２の上端部１２２ｅが天面部３１ｅの下面に当接されている。この状態で、隣接空間３１ｆには、下枠部材３１とバックアップ材１との間に、バックアップ材１と内壁部３１ｂとの間、及び、スリット１２２ａの部分が長手方向に連通する空隙Ｓをなしているが、この空隙Ｓは、充填されるシーリング材３２が、その粘性により長手方向に流動しない大きさに設定されている。  
【００２９】
本バックアップ材１の下枠部材３１への装着方法は、複層ガラス２が装着されていない下枠３０のコーナー部を形成する２本の下枠部材３１の接合部３０ａ側の端部近傍のガラス収容部３１ｃにそれぞれ、図４に示すように、上傾斜面１２２ｄを底部３１ｄに当接させるようにバックアップ材１を上突部１２２側から挿入する。このとき、各バックアップ材１は、接合部３０ａにおいてシーリング材３２を注入すべき領域を両側で挟む位置に配置される。
【００３０】
次に、屋内側上突部１２２ｂと屋外側上突部１２２ｃとを互いに近づけるように押圧し、上突部１２２が圧縮された状態で連通開口３１ｉに挿入する。このとき、バックアップ材１の室内側面１ａが底部３１ｄに当接している。
【００３１】
次に、屋内側のガラス挟持部３１ｈの下端を、下枠部材３１の長手方向に沿う仮想の軸とし、この軸周りにバックアップ材１を回転されて上突部１２２を隣接空間３１ｆのより奥側且つ上方に移動させる。このとき、バックアップ材１は、ガラス収容部３１ｃから隣接空間３１ｆに繋がる平坦な底部３１ｄに下傾斜面１２１ａが接触する。また、バックアップ材１の本体部１２は、連通開口３１ｉを通過した部位が圧縮状態から解放されて復元されていく。
【００３２】
そして、更にバックアップ材１を連通開口３１ｉにて回転させつつ通過させることにより、上突部１２の上端部１２２ｅが天面部３１ｅの下面に当接されるとともに下傾斜面１２１ａが底傾斜部３１ｊに当接されて、保持部１１が連通開口３１ｉにて圧縮された状態で保持される。
【００３３】
コーナー部を形成するＦＩＸ窓３の下枠３０を形成する２本の下枠部材３１の、接合部３０ａ側の端部近傍にそれぞれ装着されたバックアップ材１の間にシーリング材３２が充填される。
【００３４】
本実施形態のバックアップ材１によれば、隣接空間３１ｆと連通するガラス収容部３１ｃから連通開口３１ｉを通過させて隣接空間３１ｆに挿入することによりバックアップ材１を隣接空間３１ｆに配置することが可能である。このため、バックアップ材１を下枠部材３１の、接合部３０ａとは反対側の端部から挿入して接合部３０ａ側の端部近傍まで移動させて配置しなくともよい。また、隣接空間３１ｆと隣接するガラス収容部３１ｃから挿入したバックアップ材１を直接隣接空間３１ｆ側に押圧することができるので、より確実に本体部１２を隣接空間３１ｆ内に配置することが可能である。このため、バックアップ材１を短時間で容易に且つより適切に装着することが可能である。
【００３５】
また、連通開口３１ｉは、ガラス収容部３１ｃと隣接空間３１ｆとの境界部分に設けられ複層ガラス２の面内方向における幅ｗ１が隣接空間３１ｆの、面内方向における幅ｗ２より狭く形成されているので、弾性変形可能なバックアップ材１を連通開口３１ｉから圧縮させつつ挿入するだけで、隣接空間３１ｆに保持させることが可能である。このとき、保持部１１が連通開口３１ｉに保持されるので、ガラス収容部３１ｃから挿入した位置に安定した状態でバックアップ材１を配置することが可能である。このため、短時間で容易に配置することが可能なバックアップ材１を提供することが可能である。
【００３６】
また、本体部１２を連通開口３１ｉから挿入させてバックアップ材１を下枠部材３１の長手方向に沿う軸周りに回転させるだけで隣接空間３１ｆに移動させることが可能であり、また、保持部１１を連通開口３１ｉにて圧縮させて保持させることが可能である。
また、本体部１２の外周側に上傾斜面１２２ｂ及び下傾斜面１２１ａが設けられているので、バックアップ材１を容易に回転させて装着することが可能である。
【００３７】
また、本体部１２には、ガラス収容部３１ｃと隣接空間３１ｆとが連通する方向と交差する方向となる下枠部材３１の長手方向にスリット１２２ａが設けられているので、圧縮される際により大きく変形させることが可能である。このため、圧縮すると共に薄く変形させ、圧縮から解放された際には隣接空間３１ｆ内にてより大きく復元させて、下枠部材３１の長手方向に貫通する空間を狭めることが可能である。
【００３８】
また、回転させたバックアップ材１の本体部１２の、上突部１２２の上端部１２２ｅが、隣接空間３１ｆを形成する天面部３１ｅの下面に当接され、また、下傾斜面１２１ａが、底傾斜部３１ｊに当接されて位置決めされるので、作業者はバックアップ材１が適切に配置されたことを認識することが可能である。
【００３９】
また、このようなバックアップ材１を備えることにより、短時間で容易に配置されたバックアップ材１により下枠部材３１の接合部３０ａにシーリング材３２を確実に充填することが可能であり、製造性と止水性に優れたＦＩＸ窓３を提供することが可能である。
【００４０】
上記実施形態においては、本体部１２の外周側に上傾斜面１２２ｂ及び下傾斜面１２１ａを設けてバックアップ材１を回転させ易い構成としたが、傾斜面に限らず、本体部１２の外周側に湾曲部を設けても構わない。
【００４１】
また、上突部１２２にスリット１２２ａを設けてより圧縮させ易い構成としたが、例えば単板ガラス２１を保持する枠材などのようにシーリング材を充填する空間が小さく、バックアップ材の圧縮量が小さい場合などには、図５、図６に示すように、バックアップ材５に必ずしもスリットを設けなくとも構わない。このとき、バックアップ材５の装着時に、バックアップ材５を回転させるスペースが小さい場合には、上傾斜面５ａ及び下傾斜面５ｂの他に、例えば保持部側に保持部側傾斜面５ｃや湾曲部を適宜設けても構わない。
【００４２】
また、図５、図６に示すように、保持部５１と本体部５２とが線対称となるように形成すると、作業者は保持部５１と本体部５２とを意識することなく装着することが可能であり、より製造性に優れたバックアップ材５を提供することが可能である。
【００４３】
上記実施形態においては、バックアップ材１を備える部位を、コーナー部をなすＦＩＸ窓３の下枠３０を形成する下枠部材３１として説明したが、これに限るものではない。例えば、引き違い窓、開き窓、辷り出し窓など様々な建具の枠体及び框を構成する各枠材の端部同士が接合される接合部であっても構わない。このとき、接合部は、接合する枠材が直線状に連結される場合や、複数の枠材がＴ字状または３次元に接合される場合など、互いの端部を突き合わせて接合された枠体であっても構わない。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４５】
１  バックアップ材、２  複層ガラス、３  ＦＩＸ窓、５  バックアップ材、
５ａ  上傾斜面、５ｂ  下傾斜面、５ｃ  保持部側傾斜面、１１  保持部、
１２  本体部、２１  単板ガラス、３０  下枠、３０ａ  接合部、３１  下枠部材、
３１ｃ  ガラス収容部、３１ｅ  天面部、３１ｆ  隣接空間、３１ｉ  連通開口、
３１ｊ  底傾斜部、３２  シーリング材、５１  保持部、５２  本体部、
１２１ａ  下傾斜面、１２２ａ  スリット、１２２ｂ  上傾斜面、
【図１】
0006506189.tif 000002
【図２】
0006506189.tif 000003
【図３】
0006506189.tif 000004
【図４】
0006506189.tif 000005
【図５】
0006506189.tif 000006
【図６】
0006506189.tif 000007